(57)【要約】      （修正有）【課題】メンテナンス性と耐久性が高く汎用性の広い圧力調整ダンパーと空調機空調機における排気装置システムの全体的な設備費をより安価なものとするとともに熱交換排気のショートサーキット現象やシステム異常を阻止し、安定した運転状態を維持することができる排気装置の提供を目的とする。【解決手段】圧力調整ダンパー１の羽根２に対するアーム３の支持台１５との取付部側のアーム３の基部３ｂにラチェット爪２８を設けるとともにラチェットギア２９をアーム３のバランスウェイト４の取付部３ｃに設けることによりアーム３の基部３ｂとバランスウェイト４の取付部３ｃ間にラチェット機構２７を介装することによりアーム３の羽根２の取付面２Ａに対する角度調整手段を構成する。【選択図】図６
2020020486.tif 000002
【特許請求の範囲】
【請求項１】
前後両面に開口部を備える枠体の前面開口部に圧力調整用の羽根を開閉自在に装備するとともに、
当該羽根にモーメント調整手段を設けることにより構成した圧力調整ダンパーにおいて、
前記羽根は１または複数の羽根により構成するとともに前記モーメント調整手段は、前記羽根に取り付けたアームと当該アームにバランスウェイトを取り付けるとともに鉛直方向のアーム角度調整手段を設けることにより構成したことを特徴とする圧力調整ダンパー。
【請求項２】
前記モーメント調整手段の羽根に取り付けたアームは、１または複数のアームにより構成したことを特徴とする請求項１記載の圧力調整ダンパー。
【請求項３】
前記モーメント調整手段の羽根に取り付けたアームのバランスウェイトは、アームの長さ方向において移動自在に取り付け、その固定位置を調整することができるように構成したことを特徴とする請求項１または２記載の圧力調整ダンパー。
【請求項４】
前記モーメント調整手段のアームの角度調整手段は、折曲部の屈曲角の異なる複数のアームからダンパー調整条件に適合するアームを選択して取付ることにより構成したことを特徴とする請求項１〜３の調整ダンパー。
【請求項５】
前記モーメント調整手段のアームの角度調整手段は、アームに装着したラチェット機構によりアームの羽根に対する鉛直方向の角度を可変自在に構成したことを特徴とする請求項１〜３記載の圧力調整ダンパー。
【請求項６】
前記モーメント調整手段のアームの角度調整手段は、アームに装着した段付座金機構によりアームの羽根に対する鉛直方向の角度を可変自在に構成したことを特徴とする請求項１〜３記載の圧力調整ダンパー。
【請求項７】
前記羽根にはモーメント調整手段としての羽根の自重を調整することのできるカウンターウェイトを着脱自在に取り付けることにより構成したことを特徴とする請求項１〜６記載の圧力調整ダンパー。
【請求項８】
屋外排出用開口とパッケージ型空調機等の空調機の室外機の排出用開口との接続用開口を備えて成るダクト部材を介して、
前記室外機からの排気を外部に放出することができるように構成した空調機の排気流路において、
前記ダクト部材の屋外排出用開口との対向面にモーメント調整手段を備える圧力調整ダンパーを設けることにより構成したことを特徴とする空調機の排気装置。
【請求項９】
屋外排出用開口とパッケージ型空調機等の空調機の室外機の排出用開口との接続用開口を備えて成るダクト部材を介して、
前記室外機からの排気を外部に放出することができるように構成した空気調機の排気流路において、
前記ダクト部材の屋外排出用開口との対向面にモーメント調整手段を備える圧力調整ダンパーを装着し、
前記ダクト部材の屋外排出用開口からダクト部材内に流入する外風を当該圧力調整ダンパーを介して排出することにより、
前記ダクト部材の屋外排出用開口からの外風による前記室外機からの排気が逆流して発生するショートサーキット現象やシステム異常の発生を阻止することができるように構成したことを特徴とする空調機の排気装置。
空調機
【請求項１０】
前記圧力調整ダンパーに備えるモーメント調整手段は枠体の前面開口部に開閉自在に装着した羽根の背面に取り付けたアームと当該アームの長さ方向にその固定位置を可変とするバランスウェイトを設けることにより構成したことを特徴とする請求項８、９に記載の空調機の排気装置。
【請求項１１】
前記圧力調整ダンパーは請求項１〜７記載の圧力調整ダンパーにより構成したことを特徴とする請求項８〜１０記載の空調機の排気装置。
【発明の詳細な説明】
【技術分野】
【０００１】
本発明は、圧力調整ダンパーとその圧力調整ダンパーを用いた空調機の排気装置に係り、そして、本発明の圧力調整ダンパーは、例えばデータセンター空調システムに供されるパッケージ型空調システムのように、屋外に密集配置される室外機の熱交換空気を大気に排気するエアダクトにおいて、エアダクト内部の気圧が所定圧以上に変化することを防ぐことに有効な圧力調整ダンパーである。
【背景技術】
【０００２】
屋外に施設された空調室外機の吐出側の圧力が大気圧よりも高くなるような環境下になった場合でも、自動制御により室外機の排気風量を増加させて熱交換排熱を維持し、安定した空調室外機運転を行う発明が特許文献１に開示されている。
【０００３】
一方、対象空間内の圧力を調整をする他の技術として、カウンターウェイトを備えた羽で、クリーンルーム等の陽圧空間の余剰空気を逃がす圧力調整ダンパーが開示されている（特許文献２）。
【先行技術文献】
【特許文献】
【０００４】
【特許文献１】特開２００３−１４８７６９号公報
【特許文献２】実開昭６４−１３４４号公報
【発明の概要】
【発明が解決しようとする課題】
【０００５】
パッケージ型空調機の室外機（室外装置）を建屋の屋外バルコニー（架台）に施設するとき、同方向からの外風（強風）が室外機に連続して吹き当たることがある。この同方向からの連続した外風とは、季節風（冬季の北風）や一日の中の時間帯における一定方向の風（海からの風）などがある。
【０００６】
前記室外機が上下階の両階バルコニーに施設される場合、室外機が吹き出す熱交換排気のショートサーキットを防ぐため、室外機の排気吐出側に、建屋に対向する方向に開口を有する排気用エアダクトを設けるが、エアダクト吐出口に前記外風が連続して当たり続けると、エアダクトにおいて熱交換排気が阻害され、逆流が連続し、室外機における熱交換が正常に行われなくなる不具合が生じる課題がある。
【０００７】
この課題の対策として、前記特許文献１における空調機の室外装置２００は、室外機がその吹出口側で大気圧よりも圧力が大きくなるような環境下に設置された場合でも安定した空調運転を維持し得る空調機の室外装置の提供を目的とするものである。
【０００８】
然るに、当該室外装置２００においては、図１８、１９に示すように補助ファン（前記ブースターファン）２０６が必要となるとともに同補助ファン２０６の駆動制御手段に加えて室外ファン２０４との制御システムとその作動装置等の組込みが要求され（室外機の改造）、電源系統の追加工事および自動制御工事など高額の設備費が必要となるとともに省エネにもならないものである。
【０００９】
さらに、当該室外機装置２００における大気の逆流防止は、シャッター２０８によるものであるが排気通路領域２０９からの強風環境下の設置には強風による室外機２１１の排気の逆流は防止することができず、ショートサーキット現象を阻止できないものである。
そして、当該室外装置２００を高密度に並べて施設した場合には、前記逆流が阻止されたとしても排熱の排気不良によるショートサーキットのリスクが存在するものである。
【００１０】
一方、空間の圧力を逃がして空気の逆流を防止する装置として、特許文献２の微圧調整ダンパーが知られている。前記微圧ダンパーはクリーンルーム等の屋内の清浄な空間で用いられるが、その圧力開放の調整幅は狭く、構成部品点数が多く、長期に渡り日照や風雨、寒暖変化の暴露に耐える耐久性はない。よって、建物の上階バルコニーにおいて長期間使用する場合、ダンパーの部品（ウェイトやビス）が落下により地上の通行人に危険を及ぼす。
【００１１】
又、図１５の圧力調整羽根１０３自体の構成において備えるバランスウエイト１２１とレバー部１２０の構成が開示されているが、当該構成から成るモーメント調整手段としては、技術上図１６、１７の説明図に示す如く、枠体１０２と羽根１０３の支点１２２からのカウンターウェイト１２１の固定位置の変更またはその個数の変更により圧力調整羽根１０３の開きやすさ（力のモーメント）を調整することができる。
【００１２】
すなわち、この時の力のモーメントＭ＝Ｆ×  Ｌ（Ｆ：力、Ｌ：支点１２２からのカウンターウェイト１２１の固定位置までの距離）により求めることが出来る。
【００１３】
然るに、かかるモーメント調整手段の構成においては、前記レバー部１２０に対する固定位置の変更には、カウンターウェイト１２１を固定するビスが必要で、その作業は煩雑であるとともにその固定位置がレバー部１２０の長さに限定されることになり、調整の余地が狭い欠点がある。
【００１４】
又、図１５のレバー部１２０に対するカウンターウェイト１２１の個数を変更するモーメント調整手段の場合には、レバー部１２０に対するカウンターウェイト１２１の増減には作業に手間が掛かり作業性に乏しい欠点が存在する。
【００１５】
因って、本発明は前記特許文献２の微圧調整ダンパー１００における前記欠点を解消し、そのモーメント調整手段において、羽根１０３の開きやすさ（力のモーメント）をレバー部１２０に対するカウンターウェイト１２１の固定位置、個数に限定されずに幅広い範囲作動開始圧を所定圧力に調整可能とし、振動による部材の緩みを防ぎ、耐久性と耐候性に優れる素材を採用することでメンテナンス性の高く汎用性の広い圧力調整ダンパーの提供を目的とするものである。
【００１６】
そして、かかる圧力調整ダンパーの開発により、特許文献１記載の室外装置２００における排気用エアダクトの逆流を解消することのできる圧力調整ダンパーと、当該圧力調整ダンパーを用いた空調設備の排気装置の提供を目的とするものである。
【課題を解決するための手段】
【００１７】
因って、本発明の前記問題点を解決する手段としての請求項１は、前後両面に開口部を備える枠体の前面開口部に圧力調整用の羽根を開閉自在に装備するとともに、当該羽根にモーメント調整手段を設けることにより構成した圧力調整ダンパーにおいて、前記羽根は１または複数の羽根により構成するとともに前記モーメント調整手段は、前記羽根に取り付けたアームと当該アームにバランスウェイトを取り付けるとともに鉛直方向のアーム角度調整手段を設けることにより構成したことを特徴とする。
【００１８】
請求項２は、前記請求項１記載の圧力調整ダンパーにおいて、前記モーメント調整手段の羽根に取り付けたアームは、１または複数のアームにより構成したことを特徴とする。
【００１９】
請求項３は、前記請求項１または２記載の圧力調整ダンパーにおいて、前記モーメント調整手段の羽根に取り付けたアームのバランスウェイトは、アームの長さ方向において移動自在に取り付け、その固定位置を調整することができるように構成したことを特徴とする。
【００２０】
請求項４は、前記請求項１〜３記載の圧力調整ダンパーにおいて、前記モーメント調整手段のアームの鉛直方向の角度調整手段は、任意角度に曲げられた折曲部を備えるアームからダンパー調整条件に適合するアームを選択して取り付けることにより構成したことを特徴とする。
【００２１】
請求項５は、前記請求項１〜３記載の圧力調整ダンパーにおいて、前記モーメント調整手段のアームの鉛直方向の角度調整手段は、アームに装着したラチェット機構によりアームの羽根に対する鉛直方向の角度を可変自在に構成したことを特徴とする。
【００２２】
請求項６は、前記請求項１〜３記載の圧力調整ダンパーにおいて、前記モーメント調整手段のアームの角度調整手段は、アームに装着した段付座金機構によりアームの羽根に対する鉛直方向の角度を可変自在に構成したことを特徴とする。
【００２３】
請求項７は、前記請求項１〜４記載の圧力調整ダンパーにおいて、前記羽根にはモーメント調整手段としての羽根の自重を調整することのできるカウンターウェイトを着脱自在に取り付けることにより構成したことを特徴とする。
【００２４】
請求項８は、屋外排出用開口とパッケージ型空調機等の空調機の室外機の排出用開口との接続用開口を備えて成る建屋に対向する方向に開口を有するエアダクト部材を介して、前記室外機からの排気を外部に放出することができるように構成した空調機の排気流路において、前記ダクト部材の屋外排出用開口との対向面にモーメント調整手段を備える圧力調整ダンパーを設けることにより構成したことを特徴とする。
【００２５】
請求項９は、屋外排出用開口とパッケージ型空調機等の空調機の室外機の排出用開口との接続用開口を備えて成るダクト部材を介して、前記室外機からの排気を外部に放出することができるように構成した空調機の排気流路において、前記ダクト部材の屋外排出用開口との対向面にモーメント調整手段を備える圧力調整ダンパーを装着し、前記ダクト部材の屋外排出用開口からダクト部材内に流入する外風を当該圧力調整ダンパーを介して排出することにより、前記ダクト部材の屋外排出用開口からの外風による前記室外機からの排気が逆流して発生するショートサーキット現象やシステム異常の発生を阻止することができるように構成したことを特徴とする。
【００２６】
請求項１０は、請求項８〜９記載の空調機の排気装置において、前記圧力調整ダンパーに備えるモーメント調整手段は枠体の前面開口部に開閉自在に装着した羽根の背面に取り付けたアームと当該アームの長さ方向にその固定位置を可変とするバランスウェイトを設けることにより構成したことを特徴とする。
【００２７】
請求項１１は、請求項８〜１０記載の空調機の排気装置において、前記圧力調整ダンパーは請求項１〜７記載の圧力調整ダンパーにより構成したことを特徴とする。
【発明の効果】
【００２８】
本発明の請求項１〜７記載の圧力調整ダンパーによれば、羽根の構成において当該羽根の開きやすさ（力のモーメント）を調整するモーメント調整手段をアーム数やバランスウェイト数の増減による圧力調整にとどまらずアームの羽根の取付面に対する角度調整手段を設けることにより幅広い圧力調整から微調整までの汎用性の高い性能を発揮するとともに圧力調整ダンパーの作動開始における圧力調整作業の簡易、迅速性に加え、屋外における長期運用中の部品（アーム、バランスウェイト、ビス）の脱落を防ぐ耐久性を有する。この耐久性により、圧力調整機構の安定動作と階下の通行人等に対する部品落下事故を防ぐことができる。また、部品点数を少なくすることで、メンテナンスの簡便化にも寄与することができる圧力調整ダンパーを提供することが出来るものである。
【００２９】
そして、本発明の請求項８〜１１記載の空調機の排気装置によれば、従来の特許文献１におけるダクト部材の圧力調整に必須とする補助ファン等の圧力調整手段に換えて室外装置の空気流路の吹出口側に前記発明の圧力調整ダンパーを装備することにより、特許文献１に示す外風圧対策を施した専用室外装置を必要としない。また、圧力調整のための自動制御システムや電気工事を不要とし、全体的な設備費をより安価なものとしつつ排熱のショートサーキットによるシステム異常を防止し、安定した空調機の運転状態を維持することのできる排気装置を提供することができるものである。
【図面の簡単な説明】
【００３０】
【図１】図１は本発明の圧力調整ダンパーの実施例１を示す一部を破断して示す正面図
【図２】図２は本発明の圧力調整ダンパーの実施例１を示す一部を破断して示す縦断側面図
【図３】図３は本発明の圧力調整ダンパーの実施例２を示す一部を破断して示す正面図
【図４】図４は本発明の圧力調整ダンパーの実施例２を示す一部を破断して示す側面図
【図５】図５は本発明の圧力調整ダンパーの実施例２を示す一部を破断して示す縦断側面図
【図６】図６はアームの角度調整手段の実施例を示す説明図
【図７】図７はアームの角度調整手段の実施例を示す説明図
【図８】図８は図６、７のアーム角度調整手段の作用説明図
【図９】図９（ａ）、（ｂ）は図６、７とは別の実施例を示すアームの角度調整手段の実施例を示す説明図
【図１０】図１０は図６〜９とはとは別の実施例を示すアームの角度調整手段の実施例を示す説明図
【図１１】図１１（ａ）〜（ｃ）は図６〜１０とはとは別の実施例を示すアームの角度調整手段の実施例を示す説明図
【図１２】図１２は本発明のサーバー室のパッケージ型空調機の室外装置の実施例１を示す説明図
【図１３】図１３は本発明のサーバー室のパッケージ型空調機の室外装置の実施例２を示す建屋に対する取付状態を示す説明図
【図１４】図１４は本発明のサーバー室のパッケージ型空調機の室外装置の実施例２を示す説明図
【図１５】図１５は特許文献２の微圧調整ダンパーの側断面図
【図１６】図１６は従来の圧力調整ダンパーにおけるモーメント調整手段の説明図
【図１７】図１７は従来の圧力調整ダンパーにおけるモーメント調整手段の説明図
【図１８】図１８は特許文献１の室外装置の側断面図
【図１９】図１９は特許文献１の室外装置の斜視図
【発明を実施するための形態】
【００３１】
本発明の圧力調整ダンパーは、前後両面に開口部を備える枠体の前面開口部に圧力調整用の羽根を開閉自在に装備するとともに、当該羽根にモーメント調整手段を設けることにより構成した圧力調整ダンパーにおいて、前記羽根は１または複数の羽根により構成するとともに前記モーメント調整手段は、前記羽根に取り付けたアームと当該アームにバランスウェイトを取り付けるとともに羽根の取付面に対する角度調整手段を設けることにより構成するとともに、空調機の室外装置は、屋外排出用開口とパッケージ型空調機等の空調機の室外機の排出用開口との接続用開口を備えて成るダクト部材を介して、前記室外機からの排気を外部に放出することができるように構成した空調機の室外装置において、前記ダクト部材の屋外排出用開口との対向面にモーメント調整手段を備える圧力調整ダンパーを設けることにより構成して実施する。
【実施例１】
【００３２】
図１、２により本発明の圧力調整ダンパー１の実施例１について説明する。
そして、図１は同ダンパー１の正面図、図２は同図の中央縦断側面図である。
【００３３】
図１において１０は長方形状の枠体から成るケースで当該ケース１０の前面開口部１０ａには、左右両側枠１１、１２に取り付けた軸受２２の回転軸２３を介して羽根２を開閉自在に装着するとともに後面開口部１０ｂにはパンチングカバー１３を装備することにより構成されている。
【００３４】
また、前記羽根２には、その背面に複数個のカウンターウェイト１４を着脱自在に取り付けるとともに前面中央に固着したアーム支持台１５にアーム３を取り外し自在に取り付け、かつ当該アーム３にはバランスウェイト４を、アーム３の長さ方向に於いて取付位置を可変自在に取り付けることにより構成されている。
【００３５】
尚、前記アーム３はアーム支持台１５に対して取付端部３ａを取り外し自在に取り付けるためにアーム支持台１５に設けた取付穴１５ａに当該取付端部３ａを装入した後、前記締着ネジ１６により締着けつつ固定することができるように構成したが、必要に応じて前記アーム３の取付端部３ａをアーム支持台１５の取付穴１５ａに装入した後、これを溶接等の手段にて締着ネジ１６を用いずに固着することにより固定して実施することも可能である。
【００３６】
１６、１７はアーム３とバランスウェイト４の締着ネジ、１８はケース１０の前面開口部１０ａの開口縁に添設したパッキン、１９は羽根２の取付用支持枠、２０は当該支持枠１９をケース１０の枠体に固着する固定ビス、２１はバランスウェイト４の脱落防止用ナットをそれぞれ示すものである。
【００３７】
しかして、以上の構成から成る圧力調整ダンパー１は、図２に示すように所要の建造物の取付枠３１に開口した開口部３２に対して前記圧力調整ダンパー１のケース１０をガスケット３３を介して装着することにより構成する。
【実施例２】
【００３８】
図３〜５は、本発明の圧力調整ダンパー１の実施例２を示すもので、図１の実施例１に示した圧力調整ダンパー１の構成において、図１の実施例１の羽根２を２枚の羽根２ａ、２ｂをケース１０の開口部１０ａに開閉自在に装着することにより構成したものである。
【００３９】
当該２枚の羽根２ａ、２ｂによって前記実施例１に於ける羽根２の作用効果を個別的に発揮し、外風圧６に対する開きやすさをより微調整なモーメント調整手段としての作用を備える構成としたものである。
尚、図３〜５に於ける羽根２ａ、２ｂの構成及びその他の構成について、図１、２と同一構成につき同一番号を付してその説明を省略する。
【００４０】
また、当該実施例２の圧力調整ダンパー１の各羽根２ａ、２ｂには圧力調整上に於いて各羽根２ａ、２ｂにはストッパー機構２６を設けることにより羽根２ａ、２ｂごとに作動状態を制御調整することができるように構成されている。
尚、２４は開口部１０ａに張設した整流板、２５は背面開口部１０ｂに設けたサイドプレートである。
【００４１】
前記実施例１、２にて説明した圧力調整ダンパー１としては、それぞれ開口部１０ａに羽根２、２ａ、２ｂを開閉自在に装着することにより構成した実施例を示したが、その他の実施例としては、実開昭６４−１３４４号公報記載の微圧調整ダンパー（不図示）を適用することにより実施することも可能である。
尚、かかる実開昭６４−１３４４号公報記載の微圧調整ダンパーについての説明は同公報記載の発明を引用し、その説明と図示は省略するものである。
【００４２】
さて、以上の構成から成る圧力調整ダンパー１に於いては、外風圧３０に対するモーメント調整手段としての作用を、前記ケース１０に装着した羽根２により達成するものであるが、かかる作用構成を図８により具体的に説明する。
【００４３】
先ず、前記圧力調整ダンパー１の羽根２の自重（羽根重量）により図８の外風圧３０を避圧することができるが、前記図１に於ける羽根２にはアーム３を取り付けるとともに当該アーム３にはバランスウェイト４を、固定位置を移動自在に取り付け、かつこれを着脱自在としたり、これの個数の増減を自在にする構成が可能である。
さらに、前記羽根２の背面には、複数のカウンターウェイト１４を、着脱かつ個数を増減自在に取り付ける構成を説明したところである。
【００４４】
しかし、羽根２による外風圧３０の避圧をしつつ前記圧力調整ダンパー１のケース１０に設けた開口部１０ａを介して排出するものであるが、前記したように羽根２によるモーメント調整手段の作用構成手段としては図１に示すように羽根２とアーム３並びにこれとのバランスウェイト４とその取付位置の変更により調整することにより構成することができる。
【００４５】
バランスウェイト４とその取付位置は、事前にエアダクト内圧力値とバランスウェイト４位置の相関グラフを製作しておくことで、任意の圧力調整設定をすることができる。
【００４６】
すなわち、羽根２の自重による圧力調整に加えてアーム３の取付、これに対するバランスウェイト４の取付とその取付位置の変更またはバランスウェイト４の取付個数の変更により、圧力調整ダンパー１の外風圧３０に対する開きやすさ（力のモーメント）を調整することができる。
【００４７】
しかし、かかる構成からのモーメント調整手段によっては、前記アーム３に対してバランスウェイト４の固定には締着ネジ１７が必要であるとともにその取付位置による調整には、取付位置の変更作業が要求されるとともに取付位置はアーム３の長さ範囲に限定されることになる。
【００４８】
よって、図１のモーメント調整手段の構成と作業に於ける欠点をアーム３の羽根２の取付面に対する角度を図８に示すバランスウェイト４のウェイト位置Ａとウェイト位置Ｂ間のアーム３の角度３Ａを変更することによって前記外風圧３０に対する羽根２の開きやすさ（力のモーメントＭ）が変化し（すなわち羽根２の開きやすさが変化）、それと同時に幅広い範囲の圧力調整と圧力調整ダンパー１の作動開始圧を無段階に調整可能とし、モーメント調整幅を広く確保できることで圧力調整範囲幅を広くすることができる。
【００４９】
尚、図８において、前記羽根２の開きやすさを力のモーメントＭとすると、力のモーメントＭ＝Ｆ  ×  Ｌ（Ｆ：力、Ｌ：支点（軸）からの距離）によって求められるとともに図８においても、力のモーメントＭ＝Ｆ  ×  Ｌ（Ｆ：力、ＦＡ、ＦＢ：羽根重量とウェイトバランス取付位置ＡまたはＢのウェイト重量の合計、Ｌ：支点からの距離、ＬＡ、ＬＢ：ウェイトバランス位置ＡまたはＢの時の支点からの距離）によりそれぞれ求めることができる。
【００５０】
また、前記アーム３に於けるバランスウェイト４のウェイト位置Ａからウェイト位置Ｂまでのアーム３の角度３Ａを変更する具体的構成手段については、図６、７の実施例３において具体的に説明する。
【００５１】
尚、図２においては、羽根２の背面に着脱自在に取り付けたカウンターウェイト１４によって羽根２の自重を変更することができ、当該構成も前記外風圧３０に対するモーメント調整手段として作用するものであることは言うまでもない。
【実施例３】
【００５２】
図６、７は本発明の圧力調整ダンパー１の実施例３を示すもので、特に図８にて説明したアーム３の羽根２の取付面２Ａに対する角度３Ａ（図８のバランスウェイト位置Ａとバランスウェイト位置Ｂの角度を参照）を変更することによって、外風圧３０に対する羽根２の開きやすさを無段階的に調整することができる。
【００５３】
従って、前記角度３Ａを調整するアーム３の角度調整手段としての具体的な構成の実施例を示すものである。
【００５４】
而して、図６、７はその角度調整手段として羽根２の取付面に対するアーム３の取付用支持台１５とアーム３間にラチェット機構２７を介装することによりアーム３の羽根２の取付面２Ａに対する角度３Ａ（図８のウェイト位Ａとウェイト位置Ｂ間の角度３Ａ）を調整しつつ強固に固定することができるように構成したものである。
【００５５】
すなわち図６において圧力調整ダンパー１の羽根２に対するアーム３の支持台１５との取付部側のアーム３の基部３ｂにラチェット爪２８を設けるとともにラチェットギア２９をアーム３のバランスウェイト４の取付部３ｃに設けることによりアーム３の基部３ｂとバランスウェイト４の取付部３ｃ間にラチェット機構２７を介装することによりアーム３の羽根２の取付面２Ａに対する角度調整手段を構成したものである。
【００５６】
また、図６のラチェット機構２７においては、例えばバランスウェイト４の位置を羽根２の取付面２Ａに対する角度３Ａを０°、３０°、−３０°、−６０°、−９０°の５段階に調整する実施例を挙げることができる。
【００５７】
尚、ラチェット機構２７の構成については従来公知のラチェットを使用することができ、ラチェットギア２９は一方向にのみ回転可能とするとともにラチェット爪２８はＯＮ、ＯＦＦの切替レバー２８ａによりラチェットギア２９の回転を制御することができる。
【実施例４】
【００５８】
図９、１０は、前記実施例３の圧力調整ダンパー１の構成に於けるアーム３の鉛直方向の角度調整手段としてのラチェット機構２７による実施に換えて、段付座金機構６０による実施例を示すものである。
【００５９】
すなわち、図９は羽根２に取り付ける前記アーム３を、図９（ａ）に示す一対の羽子板ボルト６１、６２によって構成するとともに当該一対の羽子板ボルト６１、６２の羽子板部６１ａ、６２ａを枢着ボルト６３によって枢着し、さらにこの枢着部６４に段付座金機構６０を介装することにより羽子板ボルト６１（アーム３の基部３ｂ）に対して羽子板ボルト６２（バランスウェイト４の取付部３ｃ）を角度可変に連結することにより構成したもので、これによりアーム３の羽根２の取付面２Ａに対する角度３Ａを無段階的に可変可能に構成したものである。
【００６０】
そして、図９（ｂ）に示す如く前記羽子板ボルト６１、６２の枢着ボルト６３による羽子板部６１ａ、６２ａ間の枢着部６４に介装される段付座金機構６０は、羽子板部６１ａ、６２ａ間にワッシャー６５〜６７を介装するとともに最外側にそれぞれスプリングワッシャー６８、６９を介装し、さらにこれを締付するダブルナット７０、７１を枢着ボルト６３に螺着することにより構成されている。
【００６１】
すなわち、羽子板部６１ａ、６２ａの枢着部６４をダブルナット７０、７１の締着力を弛緩しつつ羽子板ボルト６１に対する羽子板ボルト６２の角度を可変調整した後、これを所要角度に調整固定することによりアーム３の羽根２の取付面２Ａに対する角度３Ａを調整することができるように構成し、所要の角度調整手段としての作用効果を得ることができる。
【００６２】
尚、図９（ａ）のアーム３の構成については、具体的な図示を省略したが、前記実施例１〜３に於ける構成と同一の構成により実施するもので、アーム３の取付端部３ａとしての羽子板ボルト６１のボルト部６１ｂ端部６１ｃは、羽根２の支持台１５に設けた取付穴１５ａに対して着脱自在に取り付ける場合には支持台１５の取付穴１５ａに螺子穴（不図示）を設け、ボルト部６１ｂの端部６１ｃを螺着することにより取り付け、また脱着自在の実施が不必要な場合には取付穴１５ａに対して端部６１Ｃを溶接等の手段にて固着することにより実施する。
【００６３】
また、羽子板ボルト６２のボルト部６２ｂにはバランスウェイト４をボルト部６２ｂの螺子の長さ方向に螺進自在（移動自在）に取り付けて実施することができる。
【００６４】
尚、これらの構成についての具体的な実施例については、後述する図１０の実施例によって明示するものである。
【００６５】
図９（ｂ）中の７２は、枢着ボルト６３の端部６３ａに固着した板止めナットを示すものである。
【００６６】
次に図１０に示したのは、図９の段付座金機構６０のスプリングワッシャー６８、６９およびワッシャー６５〜６７の構成に換えて図９（ａ）図示の一対の羽子板ボルト６１、６２の羽子板部６１ａ、６２ａの対向面に緩み止めワッシャー７３、７４を介装することにより段付座金機構６０を構成した実施例を示すものである。
【００６７】
そして、図１０には、図９（ａ）、（ｂ）の実施例にて説明した構成については同一番号を付しその説明を省略する。
【００６８】
尚、図１０の７３、７４は羽子板ボルト６２のボルト部６２ｂに取り付けたバランスウェイト４をボルト部６２ｂの長さ方向に移動調整自在に固定するナットを示すものである。
【００６９】
よって、図１０の一対の羽子板ボルト６１、６２にて構成したアーム３は羽根２の支持台１５に対してアーム３の取り付け端部３ａとなる羽子板ボルト６１の端部６１ｃを支持台１５の取付穴１５ａに装着することにより取り付ける。
【００７０】
そして、段付座金機構６０を構成する羽子板ボルト６１、６２の羽子板部６１ａ、６２ａの対向面に介装した緩み止めワッシャー７３、７４をダブルナット７０、７１によって枢着ボルト６３のボルト頭６３ａに締着することにより羽子板ボルト６１、６２の羽子板部６１ａ、６２ａの枢着部６４を固定することができる。
【００７１】
かかる固定状態を前記枢着ボルト６３のダブルナット７０、７１による締着力を弛めつつ羽子板ボルト６２を羽根２の取付面２Ａ方向に回動することにより羽子板ボルト６２の羽根２の取付面２Ａに対する角度３Ａ（アームの鉛直方向の角度）を可変することができる。
【００７２】
すなわち、羽子板ボルト６２の回動操作によりアーム３のバランスウェイト４の取付部３ｃの羽根２の取付面２Ａに対する角度３Ａを調整することができる。
【００７３】
そして、前記羽子板ボルト６２の回動操作とその調整により当該羽子板ボルト６２を所要角度に調整した後、再度前記ダブルナット７０、７１により羽子板部６１ａ、６２ｂの枢着部６４を緩み止めワッシャー７３、７４を介して締着することによりアーム３の羽根２の取付面２Ａに対する所要角度による取り付け操作を達成することができるとともに、これまでの説明によるアーム３の角度調整手段によって達成することのできる同一の作用効果をも達成することができる。
【実施例５】
【００７４】
図１１は、前記してきた圧力調整ダンパー１の構成に於ける角度調整手段の実施例とは別の実施例を示すものである。
【００７５】
また、図１１（ａ）〜（ｃ）は、圧力調整ダンパー１の構成に於ける羽根２の支持台１５に着脱自在に装着することができるように構成したアーム３の要部を示す説明図である。
【００７６】
図１１（ａ）〜（ｃ）の各アーム３により各折曲部８０の角度によって前記してきた圧力調整ダンパー１の構成に於いて図８に於けるアーム３の羽根２の取付面２Ａに対する角度３Ａ（すなわちアーム３の鉛直方向の角度）を調整することができるとともに図１１（ａ）〜（ｃ）の各アーム３を用意しておき、圧力調整ダンパー１に要求される圧力調整の必要に応じて各アーム３（圧力調整ダンパー１のダンパー調整条件に適合するアーム３）を選択して羽根２の支持台１５に取り付けて実施することにより、各アーム３の折曲部８０の角度に対応する所要の圧力調整作用効果を得ることができる。
【００７７】
尚、当該実施例は必要な角度を持った折曲部８０を備える複数のアーム３が要求されると同時にそのアーム３の差し替え作業操作が要求されることになるので、予め実施する圧力調整ダンパー１に要求される圧力調整可能範囲を備える折曲角度のアーム３を固定して構成し、その他のモーメント調整手段にて調整しつつ実施することが好適である。
【実施例６】
【００７８】
図１２、１３は前記した実施例１〜３の圧力調整ダンパー１を使用して空調機の排気装置を構成する場合の実施例を示すもので、図１２は室外装置としての実施例を示す説明図である。
【００７９】
図１２において排気装置４０は、建屋バルコニーにパッケージ型空調機の室外機４１に施設した実施例を示すもので、当該室外機４１には屋外排出用開口４２と室外機用排気出口４１ａとの接続用開口４３を備えるダクト部材（Ｌ型ダクト）４４を設けてある。ダクト部材４４は、建屋に対向する方向に屋外排出用開口４２を有する。
【００８０】
そして、前記ダクト部材４４の屋外排出用開口４２との対向面となる側壁部４５に前記実施例１〜３にて説明したモーメント調整手段を備える圧力調整ダンパー１を装備することにより室外装置４０を構成する。
【００８１】
また、図１３は図１２の排気装置４０をデータセンターの建物５０の各階バルコニー５１に設置した実施例を示すものである。
【００８２】
因って、図１２の排気装置４０によれば室外機４１による各階室外機からの吸気５２は室外機４１で熱交換排気ダクト部材４４を介して屋外５３に排気される。
【００８３】
そして、排気装置４０に対する屋外５３の無風あるいは弱風時にはダクト部材４４の排出用開口４２より問題なく外部に排出することができるが、強風時には室外機４１による排気が強風によって押し戻されることになる。
【００８４】
しかし、本発明の排気装置４０によれば、ダクト部材４４の排出用開口４２の対向面の側壁部４５に圧力調整ダンパー１を設けてあるので、当該圧力調整ダンパー１の羽根２によるモーメント調整手段によって圧力調整ダンパー１の開口部１０ａより強風により押し戻される排気を排出することができ、ダクト部材４４内の圧力を大気圧に近い所定の圧力付近に維持することで、室外装置４０は正常に熱交換排気を排出用開口４２から外部へ排気し、ショートサーキット現象を阻止することができる。
【００８５】
従って、排気装置４０の室外機４１に対する強風時の排気の逆流による排熱の逆流を圧力調整ダンパー１によって回避しつつ室外機４１のパッケージ型空調機における高温異常警報の発報を防止することができる。
【００８６】
すなわち、高温異常警報が発報するとパッケージ型空調機は停止または能力低下を起こすので同時に複数台の空調機で警報が発報するとデータセンター室内のサーバー機器の冷却ができずにサーバー機器が異常停止して深刻な影響を及ぼすことになるが、この問題をも本発明の室外装置４０により解決することができるものである。
【実施例７】
【００８７】
図１４は、前記実施例４の排気装置４０のダクト部材４４による構成に換えて、パッケージ型空調機の室外機４１の上部に設けた消音チャンバー４６により構成した実施例を示したものである。
【００８８】
消音チャンバー４６における構成中、実施例６のダクト部材４４と同一構成部分は同一番号を付して説明を省略する。
【００８９】
そして、作用効果についても実施例６と同一の作用効果を得ることができその説明については省略する。
【符号の説明】
【００９０】
１              圧力調整ダンパー
２、２ａ、２ｂ  羽根
２Ａ            アームの取付面
３              アーム
３Ａ            アーム３の角度
３ａ            アームの取付端部
３ｂ            基部
３ｃ            取付部
４              バランスウェイト
１０            ケース
１０ａ          前側開口部
１０ｂ          後側開口部
１１            右側枠
１２            左側枠
１３            パンチングカバー
１４            カウンターウェイト
１５            支持台
１５ａ          取付穴
１６、１７      締着ネジ
１８            パッキン
１９            支持枠
２０            固定ビス
２１            脱落防止ナット
２２            軸受
２３            回転軸
２４            整流板
２５            サイドプレート
２６            ストッパー機構
２７            ラチェット機構
２８            ラチェット爪
２９            ラチェットギア
３０            外風圧
３１            取付枠
３２            開口部
４０            排気装置
４１            室外機
４１ａ          室外機用排出口
４２            屋外排出用開口
４３            接続用開口
４４            ダクト部材
４５            側壁部
４６            消音チャンバー
５０            建物
５１            バルコニー
５２            吸気
５３            屋外
６０            段付座金機構
６１、６２      羽子板ボルト
６１ａ、６２ａ  羽子板部
６１ｂ、６２ｂ  ボルト部
６１ｃ          ボルト端部
６３            枢着ボルト
６４            枢着部
６５〜６７      ワッシャー
６８、６９      スプリングワッシャー
７０、７１      ダブルナット
７２            板止めナット
７３、７４      緩み止めワッシャー
８０            折曲部
８１            角度調整部
【図１】
2020020486.tif 000003
【図２】
2020020486.tif 000004
【図３】
2020020486.tif 000005
【図４】
2020020486.tif 000006
【図５】
2020020486.tif 000007
【図６】
2020020486.tif 000008
【図７】
2020020486.tif 000009
【図８】
2020020486.tif 000010
【図９】
2020020486.tif 000011
【図１０】
2020020486.tif 000012
【図１１】
2020020486.tif 000013
【図１２】
2020020486.tif 000014
【図１３】
2020020486.tif 000015
【図１４】
2020020486.tif 000016
【図１５】
2020020486.tif 000017
【図１６】
2020020486.tif 000018
【図１７】
2020020486.tif 000019
【図１８】
2020020486.tif 000020
【図１９】
2020020486.tif 000021